(57)【要約】      （修正有）【課題】火災発生時に火元となる部屋を速やかに特定でき、初期消火や避難誘導等の行動を迅速にとることができる火災報知システムを提供する。【解決手段】火災報知システム１０の火災受信機１１はアドレッサブル火災感知器１５が設置された部屋の入り口またはその付近にそれぞれ取り付けられた表示灯（廊下灯１７）の表示態様を所定の警告表示状態に制御する。詳しくは、任意のアドレッサブル火災感知器１５から前記感知情報と識別情報を受信したとき、その識別情報に基づいて当該アドレッサブル火災感知器１５が設置された部屋を特定し、その部屋の入り口またはその付近に取り付けられた表示灯（廊下灯１７）の表示態様を所定の警告表示状態に制御する。【選択図】  図１
2004213166.tif 000002
【特許請求の範囲】
【請求項１】
火災を感知したとき、その感知情報と共に、あらかじめ割り当てられている固有の識別情報を火災受信機に送信するアドレッサブル火災感知器を有する火災報知システムにおいて、
前記火災受信機は、前記アドレッサブル火災感知器が設置された部屋の入り口またはその付近に取り付けられた表示灯の表示態様を所定の警告表示状態に制御する制御手段を備え、
前記制御手段は、任意のアドレッサブル火災感知器から前記感知情報と識別情報を受信したとき、その識別情報に基づいて当該アドレッサブル火災感知器が設置された部屋を特定し、その部屋の入り口またはその付近に取り付けられた表示灯の表示態様を所定の警告表示状態に制御することを特徴とする火災報知システム。
【請求項２】
複数のナースコール子機からの呼び出しを個別に表示すると共に呼び出し元のナースコール子機との間で会話を交わすことができるナースコール親機と、
病室を含む部屋の入り口またはその付近に取り付けられ、前記ナースコール親機からのコントロールによってその表示態様が所定の警告表示状態に制御される表示灯とを備え、
前記ナースコール親機は、火災発生時に火災報知システムから出力される火災発報信号を受信する受信手段と、
当該火災発報信号に含まれる火災発報感知器の固有識別情報に基づいて当該火災発報感知器が設置されている部屋の入り口またはその付近に取り付けられている表示灯を特定する特定手段と、
前記特定手段によって特定された表示灯の表示態様を所定の警告表示状態に制御する制御手段と
を備えたことを特徴とするナースコールシステム。
【請求項３】
前記ナースコール親機は、看護師又はその他の医療従事者が携帯する医療用コードレスホン又は携帯電話機もしくは無線通信端末に前記火災発報感知器の場所を示す情報を表示させる手段をさらに備えることを特徴とする請求項２記載のナースコールシステム。
【発明の詳細な説明】
【０００１】
【発明の属する技術分野】
本発明は、火災報知システムに関し、特に、アドレッサブル火災感知器を有する火災報知システムに関する。または、その火災報知システムからの情報を利用して、火災等の緊急事態にも対処できるようにしたナースコールシステムに関する。
【０００２】
【従来の技術】
図２２は、Ｐ（Ｐｒｏｐｒｉｅｔａｒｙ  Ｔｙｐｅの頭文字）型火災報知システムの構成図である。この火災報知システムは、建造物の各所に設けられた多数の火災感知器１からの信号線を感知器回線（Ｌ１、Ｌ２、・・・・、Ｌｎ）ごとにとりまとめて火災受信機２に取り込み、火災受信機２で火災感知器１の動作を集中監視する。
【０００３】
図示のＰ型火災報知システムの監視範囲は、火災感知器１の単位ではなく、いくつかの火災感知器１を束ねた回線（感知器回線）単位であり、火災受信機２は、ある火災感知器１が動作した場合、その火災感知器１を含む感知器回線（たとえば、Ｌ１）に割り当てられたエリアを火災発生場所として表示する。
【０００４】
図２３は、上記の火災報知システムの設置例を示す図であり、特に、部屋等を多く備えた建造物、たとえば、病院、診療所、助産所または介護老人保健施設など（以下「病院等」）への設置例である。この図において、図面の上側を便宜的に「北」とする病院等３は、多数の病室や診療室、トイレ、浴室などの部屋（壁によって区画され且つドア等によって閉鎖可能な空間）を備えている。それぞれの部屋（４〜９は代表的に示すいくつかの病室）には火災感知器１（図中の○図形はすべて火災感知器であるが、図面の輻輳を避けるためにその一部にのみ符号を付してある。）が設けられており、すべての火災感知器１は感知器回線Ｌ１〜Ｌ５の単位ごとにとりまとめられて火災受信機２に接続されている。
【０００５】
【発明が解決しようとする課題】
上記の火災報知システムにおいて、不都合となる点は、火災が発生したときに、その火災を感知した火災感知器１が接続された火災感知回線の単位でしか火災発生エリアを特定できないことにある。
【０００６】
すなわち、図２３の例で説明すると、たとえば、ハッチングで示す病室６を火災発生元とし、その病室６に設置された火災感知器１が発報した場合、火災受信機２は、その火災発報感知器につながる火災感知回線（図示の例ではＬ１）を火災発生エリアとして判定し、火災受信機２の前面パネルに火災発生エリアを警告表示（たとえば、「北側病室」のランプを点滅させる等）するが、その警告表示を見ただけでは、どの病室が火元であるかを直ちに特定することができない。
【０００７】
したがって、上記従来の火災報知システムにあっては、火災発生エリア内の部屋（たとえば、病院等であれば病室など）を一つ一つ覗いて火元を確認する必要があり、火災発生時に迅速な初期行動をとることができないという問題点があった。
【０００８】
そこで、本発明は、火災発生時に火元となる部屋を速やかに特定でき、初期消火や避難誘導等の行動を迅速にとることができる火災報知システムを提供することを目的とする。
【０００９】
または、その火災報知システムからの情報を利用して、火災等の緊急事態にも対処できるようにしたナースコールシステムを提供することを目的とする。
【００１０】
ここに、ナースコールシステムとは、病院等において、保健師、助産師、看護師または准看護師など（以下「看護師等」）と患者との間のスムーズなコミニュケーションや、円滑な介護活動を図るために用いられる設備のことである。ナースコールシステムは、詳細は後述するが、基本的に、ナースステーションの壁面等に設置されたナースコール親機と、病室の患者の枕元などに設置された複数のナースコール子機とで構成される。さらに、オプションとして、トイレや浴室等の部屋に設置された押しボタンを含むこともある。
【００１１】
このような従来のナースコールシステムにあっては、患者からの呼び出しをナースステーションで受け、会話を交わし、所要の対応行動をとることができる点で有益であり、患者と看護師等間のスムーズなコミニュケーションや円滑な看護活動を図るための設備として見た場合は、特段不都合のないものであるが、別の視点で見た場合、改善すべき余地がある。
【００１２】
すなわち、病院等における緊急事態は、入院患者の容態急変などの医療に関する事項だけに限らない。たとえば、火災または火災に至らないまでの小火騒ぎなどの緊急事態もまれに発生する。このような災害に備えて、病院等では法令に準拠した火災報知システムを設置しているが、火災報知システムとナースコールシステムはそれぞれ独立した別個のシステムであることから、ナースコールシステムそれ自体で火災等の初期行動に対処できないという不都合があった。
【００１３】
【課題を解決するための手段】
本発明に係る火災報知システムは、上記の課題を達成するために、以下の構成を備える。
【００１４】
すなわち、火災を感知したとき、その感知情報と共に、あらかじめ割り当てられている固有の識別情報を火災受信機に送信するアドレッサブル火災感知器を有する火災報知システムにおいて、
前記火災受信機は、前記アドレッサブル火災感知器が設置された部屋の入り口またはその付近に取り付けられた表示灯の表示態様を所定の警告表示状態に制御する制御手段を備え、
前記制御手段は、任意のアドレッサブル火災感知器から前記感知情報と識別情報を受信したとき、その識別情報に基づいて当該アドレッサブル火災感知器が設置された部屋を特定し、その部屋の入り口またはその付近に取り付けられた表示灯の表示態様を所定の警告表示状態に制御することを特徴とする。
【００１５】
ここで、「火災発報感知器の固有識別情報」について解説する。先に説明したとおり、通常の火災感知器は単に火災発報信号を出力するだけであり、火災発生場所の特定は複数の火災感知器を含む回線単位（たとえば、フロアー単位など）に行われるが、たとえば、特開２００１−１８４５７１号公報（平成１３年７月６日）に開示されているアドレッサブル火災感知器は、各々の火災感知器に固有の識別情報（アドレス）が付与されており、任意の火災感知器が発報したときには、その発報感知器のアドレスに基づいて、感知器単位で火災発生場所を特定することができる。
【００１６】
本発明の課題の重要なポイント（火災感知器が設置された部屋の入り口またはその付近にそれぞれ取り付けられた表示灯の表示態様を所定の警告表示状態に制御する）は、通常の火災感知器を備えた火災報知システムでは達成し得ない。通常の火災感知器を備えた火災報知システムでは、たとえば、フロアー単位でしか火災発生場所を特定できないからである。
【００１７】
これに対して、アドレッサブル火災感知器を備えた火災報知システムの場合は、感知器単位で火災発生場所を特定することができるから、本発明の課題の重要なポイント（火災感知器が設置された部屋の入り口またはその付近にそれぞれ取り付けられた表示灯の表示態様を所定の警告表示状態に制御する）を達成する上で、『火災発報感知器の固有識別情報』は、欠くことのできない要素の一つである。
【００１８】
したがって、本発明は、上記の要素を含むため、火災発生時に、任意のアドレッサブル火災感知器から前記感知情報と識別情報を受信したとき、その識別情報に基づいて当該アドレッサブル火災感知器が設置された部屋を特定し、その部屋の入り口またはその付近に取り付けられた表示灯の表示態様を所定の警告表示状態に制御することができ、その警告表示から速やかに火元となる部屋を見つけて、初期消火や避難誘導等を行うことができる。なお、この発明では部屋の用途について特に限定しない。壁等によって区画され、且つ、ドア等によって閉鎖可能な空間であればよい。
【００１９】
また、本発明に係るナースコールシステムは、上記の課題を達成するために、以下の構成を備える。
【００２０】
すなわち、複数のナースコール子機からの呼び出しを個別に表示すると共に呼び出し元のナースコール子機との間で会話を交わすことができるナースコール親機と、
病室を含む部屋の入り口またはその付近に取り付けられ、前記ナースコール親機からのコントロールによってその表示態様が所定の警告表示状態に制御される表示灯とを備え、
前記ナースコール親機は、火災発生時に火災報知システムから出力される火災発報信号を受信する受信手段と、
当該火災発報信号に含まれる火災発報感知器の固有識別情報に基づいて当該火災発報感知器が設置されている部屋の入り口またはその付近に取り付けられている表示灯を特定する特定手段と、
前記特定手段によって特定された表示灯の表示態様を所定の警告表示状態に制御する制御手段と
を備えたことを特徴とする。
【００２１】
この発明では、火災発生時に、火災報知システムから出力される火災発報信号を受信し、当該火災発報信号に含まれる火災発報感知器の固有識別情報に基づいて当該火災発報感知器が設置されている部屋（病院等における病室は部屋の代表である。）の入り口またはその付近に取り付けられている表示灯を特定し、特定された表示灯の表示態様を所定の警告表示状態に制御する。したがって、火災等の緊急事態にも対処できるようにしたナースコールシステムを提供することができ、しかも、その警告表示から速やかに火元となる部屋を見つけ出し、初期消火や避難誘導等を効率的に行うことができる。
【００２２】
また、好ましい態様は、前記ナースコール親機は、看護師又はその他の医療従事者が携帯する医療用コードレスホン又は携帯電話機もしくは無線通信端末に前記火災発報感知器の場所を示す情報を表示させる手段をさらに備えることとされている。
この態様では、医療用コードレスホン又は携帯電話機もしくは無線通信端末を携帯する看護師又はその他の医療従事者が、仮に、ナースコール親機の設置場所（一般に看護師詰め所等）から離れた場所にいたとしても、いちいち看護師詰め所等に戻ることなく、直ちに火災発生場所を知ることができ、初期消火や避難誘導及び消防署への通報等、所要の対処行動を遅滞なく行うことができる。
【００２３】
【発明の実施の形態】
以下、本発明の実施の形態を、アドレッサブル火災感知器を有するＰ型火災報知システム（以下、単に「火災報知システム」という。）を例にして、図面を参照しながら説明する。
【００２４】
なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００２５】
＜火災報知システム＞
図１は、火災報知システム１０の概念的なシステム構成図である。この図において、火災報知システム１０は火災受信機１１を含み、火災受信機１１からは、ｎ個（図では便宜的にｎ＝４）の感知器回線１２ａ〜１２ｄと、廊下灯点灯制御信号線１３と、外部システム（ここでは、後述のナースコールシステム１００のナースコール親機１０２）への信号線１４が引き出されている。感知器回線１２ａ〜１２ｄはそれぞれ後述するように２線式の構成（Ｌ線とＣ線のペア構成）であり、各々の感知器回線１２ａ〜１２ｄには、任意数の火災感知器１５が並列接続されると共に、感知器回線１２ａ〜１２ｄの各端末は、抵抗１６で終端されている。
【００２６】
廊下灯点灯制御信号線１３には、複数の廊下灯１７（発明の要旨に記載の「表示灯」に相当）が接続されており、これらの廊下灯１７は「部屋」の入り口またはその付近にそれぞれ設置される。ここで、“部屋”とは、その用途（病室やトイレ及び浴室等）にかかわらず、壁などによって区画され、且つ、ドア等によって閉鎖可能な空間で、しかも、火災感知器１５によって火災等の発生が常時監視されている空間のことをいう。
【００２７】
なお、廊下灯１７の呼称（特に“廊下”）に特段の意味はない。一般に病室やトイレ及び浴室等の部屋の入り口は、廊下に面して設けられているため、入り口またはその付近を“廊下”の一部とみなして差しつかえないからである。したがって、上記の呼称は単に便宜上に過ぎず、他の呼び方であっても構わない。
【００２８】
火災感知器１５は、要するに、火災を検出したときに、接続された感知器回線を短絡（Ｌ線とＣ線の間を短絡）状態とするものである。実際の火災感知器１５としては、たとえば、感知器回線１２ａについて代表的に示すように、光電式煙感知器１５ａ、サーミスタ式熱感知器１５ｂ、差動式感知器１５ｃ、定温式感知器１５ｄなど、様々なタイプの火災感知器を使用することができる。
【００２９】
火災受信機１１は、そのフロントパネル１８に、各種の表示灯や操作ボタンなどを配置して構成されている。たとえば、図示の例では、火災発生時に点灯する火災代表灯１９や火災発生場所を表示する地区表示部２０及び操作部１２１並びに音響出力部２２などが設けられているほか、小扉２３の内側に保守点検用の操作表示部２４が設けられている。
【００３０】
図２は、火災受信機１１、火災感知器１５及び廊下灯１７を含む電気的構成図である。火災受信機１１は、受信制御部３０や回線選択部３１などを含む中央制御部３２（発明の要旨に記載の「制御手段」に相当）、フロントパネル１８、情報出力部３３、メモリ３４、ｎ個の電流検出部（以下、第１電流検出部３５＿１〜第ｎ電流検出部３５＿ｎ）、廊下灯駆動部３６（発明の要旨に記載の「制御手段」に相当）などを備えて構成されている。
【００３１】
情報出力部３３は、いずれかの火災感知器１５が火災発報状態であることを電流検出部（第１電流検出部３５＿１〜第ｎ電流検出部３５＿ｎ）で検出したときに、その情報（移報ともいう）を外部に出力する。本実施の形態における移報出力先は、少なくともナースコールシステム１００のナースコール親機１０２である。この移報は火災発報の情報と、その発報を行った火災感知器１５の固有識別情報を含む。また、メモリ３４は、中央制御部３２の動作ソフトを格納するマスクロムやフラッシュロムなどである。このメモリ３４は、動作履歴や出荷時の品質管理情報を保持できるほか、本実施の形態においては、次に説明する火災感知器アドレスと廊下灯アドレスとの対応データを保持する。
【００３２】
図３は、火災感知器アドレスと廊下灯アドレスの対応データの概念図である。この対応データ４０は、多数のレコードからなり、各レコードは火災感知器アドレスフィールド４０ａと廊下灯アドレスフィールド４０ｂとから構成される。火災感知器アドレスフィールド４０ａは、火災受信機１１に接続されたすべての火災感知器１５の固有の識別情報（火災感知器アドレス）を格納し、また、廊下灯アドレスフィールド４０ｂは、火災受信機１１に接続されたすべての廊下灯１７の固有の識別情報（廊下灯アドレス）を格納する。これらのアドレス情報の格納は、たとえば、火災報知システム１０を設置したときに、その設置業者によって行うことができる。
【００３３】
図示の例においては、火災感知器アドレスとして上から順に“１”、“２”、“３”、“４”、“５”、“６”、・・・・が格納されており、また、廊下灯アドレスとして上から順に“１”、“２”、“３”、・・・・が格納されている。そして、廊下灯アドレスの“１”は複数（図では二つ）の火災感知器アドレス（“１”と“２”）に対応付けられており、廊下灯アドレスの“２”は複数（図では二つ）の火災感知器アドレス（“３”と“４”）に対応付けられており、廊下灯アドレスの“３”は複数（図では二つ）の火災感知器アドレス（“５”と“６”）に対応付けられている。これらの対応関係は説明のための便宜例であるが、次のことを意味している。
【００３４】
すなわち、ある部屋の入り口またはその付近に設置されたアドレス“１”を持つ廊下灯１７は、その部屋の内部に設置された二つの火災感知器１５（ただし、アドレス“１”と“２”を持つもの）に対応付けられている、また、別のある部屋の入り口またはその付近に設置されたアドレス“２”を持つ廊下灯１７は、その部屋の内部に設置された二つの火災感知器１５（ただし、アドレス“３”と“４”を持つもの）に対応付けられている、さらに、別のある部屋の入り口またはその付近に設置されたアドレス“３”を持つ廊下灯１７は、その部屋の内部に設置された二つの火災感知器１５（ただし、アドレス“５”と“６”を持つもの）に対応付けられている、ことを意味している。
【００３５】
火災報知システムを構築する場合は、第１電流検出部３５＿１〜第ｎ電流検出部３５＿ｎのそれぞれから引き出された感知器回線（説明の都合上、１２ａ〜１２ｃの三つとする）のＬ線とＣ線に、任意数（便宜的にｍ個、すなわちＮｏ．１〜Ｎｏ．ｍ）の火災感知器１５を接続すると共に、各感知器回線１２ａ〜１２ｃのＬ線とＣ線の端末に終端のための抵抗１６を接続する。
【００３６】
第１電流検出部３５＿１〜第ｎ電流検出部３５＿ｎは、中央制御部３２のタイムシェアリング制御（後述）により、それぞれ所定の時間ごとに時分割動作し、各々に接続された感知器回線のＬ線とＣ線の間に流れる電流の大きさを検出する。
【００３７】
すなわち、第１電流検出部３５＿１は、第１のタイムシェアリング期間で感知器回線１２ａのＬ線とＣ線の間に流れる電流の大きさを検出し、第２電流検出部３５＿２は、第２のタイムシェアリング期間で感知器回線１２ｂのＬ線とＣ線の間に流れる電流の大きさを検出し、第ｎ電流検出部３５＿ｎは、第ｎのタイムシェアリング期間で感知器回線１２ｃのＬ線とＣ線の間に流れる電流の大きさを検出し、いずれもその計測信号を、各々のタイムシェアリング期間において中央制御部３２に出力する。
【００３８】
中央制御部３２は、火災受信機１１の全体動作を制御するものである。その具体的な構成は、設計容易性や改修容易性などの点で、一般にマイクロプロセッサを主たる要素とする、いわゆるマイクロプログラム制御方式で設計されることが多いが、たとえば、ハードロジックで設計されたものであってもよい。
【００３９】
中央制御部３２に必要な第一の機能はフロントパネル１８や情報出力部３３の動作制御機能であり、第二の機能は火災発報の検出制御機能、その火災発報位置の火災感知器単位の判定制御、及び、第１電流検出部３５＿１〜第ｎ電流検出部３５＿ｎのタイムシェアリング制御機能である。
【００４０】
受信制御部３０及び回線選択部３１は、第二の機能を模式的に表した概念ブロックである。すなわち、受信制御部３０は、第１電流検出部３５＿１〜第ｎ電流検出部３５＿ｎからの計測信号に基づいて火災の発報を検出し、その火災発報位置を火災感知器１５の単位に判定するものであり、また、回線選択部３１は、第１電流検出部３５＿１〜第ｎ電流検出部３５＿ｎのタイムシェアリング動作を制御するものである。
【００４１】
図４は、中央制御部３２（の一部）及び電流検出部（第１電流検出部３５＿１〜第ｎ電流検出部３５＿ｎ）の回路構成を示す図である。なお、図示の回路構成は、実施の形態の動作を説明する上でのあくまでも例示に過ぎない。
【００４２】
電流検出部（第１電流検出部３５＿１〜第ｎ電流検出部３５＿ｎ）は、いずれも同一の構成を有しており、代表として、第１の電流検出部３５＿１を説明すると、第１の電流検出部３５＿１は、感知器回線接続用の二つの端子（Ｌ１、Ｃ１）、電流検出回路４１、及び、スイッチング回路４２を備え、それら各部の詳細は、以下のとおりである。
【００４３】
Ｌ１端子には感知器回線１２ａのＬ線が接続され、Ｃ１端子には感知器回線１２ａのＣ線が接続される。Ｃ１端子は共通電位（コモン電位；図では接地電位）に接続されており、電流検出回路４１は、二つの端子（Ｌ１、Ｃ１）の間に流れる電流に比例した電流を検出し、スイッチング回路４２は、電流検出回路４１で検出した電流を所定のタイムシェアリング期間に計測信号として中央制御部３２に出力する。
【００４４】
電流検出回路４１は、四つの抵抗素子４１ａ〜４１ｄ、オペアンプ４１ｅ及びトランジスタ４１ｆを備え、Ｌ１端子と＋２４Ｖ電源との間に抵抗素子４１ａ、４１ｂを直列挿入し、それらの抵抗素子４１ａ、４１ｂの接続点をオペアンプ４１ｅの反転入力（−入力）に接続し、＋２４Ｖ電源を抵抗素子４１ｃを介してオペアンプの非反転入力（＋入力）に接続し、オペアンプ４１ｅの出力をトランジスタ４１ｆのベースに接続し、オペアンプ４１ｅの非反転入力をトランジスタ４１ｆのエミッタに接続して構成されている。
【００４５】
スイッチング回路４２は、三つの抵抗素子４２ａ、４２ｂ、４２ｃ及び二つのトランジスタ４２ｄ、４２ｅを備え、トランジスタ４２ｄのコレクタ−ベース間に抵抗素子４２ａを接続し、トランジスタ４２ｄのエミッタを、電流検出回路４１のトランジスタ４１ｆのコレクタに接続し、トランジスタ４２ｄのベースを抵抗素子４２ｂを介してトランジスタ４２ｅのコレクタに接続するとともに、エミッタを共通電位に接続したトランジスタ４２ｅのベースに、抵抗素子４２ｃを介して中央制御部３２（の回線選択部３１）からのタイムシェアリング信号（Ｔ１）を印加し、トランジスタ４２ｄのコレクタを中央制御部３２（の受信制御部３０）に設けられた負荷抵抗３２ａを介して共通電位に接続して構成されている。
【００４６】
なお、図中の“Ｔ１”は第１電流検出部３５＿１のタイムシェアリング信号、“Ｔ２”は第２電流検出部３５＿２のタイムシェアリング信号、“Ｔｎ”は第ｎ電流検出部３５＿ｎのタイムシェアリング信号であり、“ＳＩ”は負荷抵抗３２ａの両端から取り出される電流−電圧変換信号である。
【００４７】
このような構成において、スイッチング回路４２のトランジスタ４２ｄ、４２ｅは、タイムシェアリング信号Ｔ１の電位を切り換えることにより、オン／オフ変化する。以下、便宜的にトランジスタ４２ｄ、４２ｅがオンになるときのタイムシェアリング信号Ｔ１の電位状態を「アクティブ」ということにすると、このアクティブ状態においては、電流検出回路４１のトランジスタ４１ｆのコレクタは、中央制御部３２（の受信制御部３０）に設けられた負荷抵抗３２ａを介して共通電位に接続された状態にある。
【００４８】
そして、このときの、電流検出回路４１のトランジスタ４１ｆのコレクタ電流ｉｃは、二つの入力抵抗（抵抗素子４１ａ、４１ｃ）の抵抗比に従って正確に制御される。すなわち、＋２４Ｖ電源から感知器回線１２ａに流れ込む電流をｉａとし、且つ、オペアンプ４１ｅの二つの入力抵抗（抵抗素子４１ａ、４１ｃ）の抵抗比をＡとすると、ｉｃ＝ｉａ／Ａとなり、たとえば、抵抗素子４１ａを１００Ω、抵抗素子４１ｃを１０ｋΩとすると、抵抗比Ａは１／１００になるから、ｉｃ＝ｉａ／１００となり、タイムシェアリング信号Ｔ１のアクティブ期間においては、中央制御部３２の負荷抵抗３２ａに、＋２４Ｖ電源から感知器回線１２ａに流れ込む電流ｉａを正確に１／１００にした電流ｉｃを流すことができる。
【００４９】
したがって、たとえば、負荷抵抗３２ａを１０ｋΩとすると、その負荷抵抗３２ａの両端から取り出される電流−電圧変換信号ＳＩの値は、１０ｋΩ×ｉｃとなるから、たとえば、ｉａ＝３５ｍＡのとき、ＳＩ＝１０ｋΩ×ｉｃ＝１０ｋΩ×（３５ｍＡ／１００）＝３．５Ｖとなる。
【００５０】
図５（ａ）は、タイムシェアリング動作の概念図である。図中模式化して示す多接点スイッチ４３は、第１電流検出部３５＿１〜第ｎ電流検出部３５＿ｎのｎ個のスイッチ回路１３１をまとめたものである。この多接点スイッチ４３は、図５（ｂ）に示すタイムシェアリング信号Ｔ１〜Ｔｎの巡回的なアクティブ動作（１サイクルを単位に繰り返す）に従って接点を順次に閉じていくものであり、負荷抵抗３２ａには、上記のアクティブ動作に伴って、Ｌ１回線のｉｃ、Ｌ２回線のｉｃ、・・・・、Ｌｎ回線のｉｃが順次に流れ込み、それを１サイクルとして延々と繰り返すという作用が得られ、その結果、タイムシェアリング期間ごとに感知回線（Ｌ１〜Ｌｎ）ごとのＳＩを取り出すことができる。
【００５１】
さて、以上のとおり、ＳＩはｉａ＝３５ｍＡのときに３．５Ｖとなるが、本実施の形態においては、詳細は後述するが、ｉａは上記の３５ｍＡのほかに、２．４ｍＡと１０ｍＡの合計三種類の値をとる。このため、ＳＩは、３．５Ｖ（ｉａ＝３５ｍＡのとき）、０．２４Ｖ（ｉａ＝０．２４ｍＡのとき）及び１．０Ｖ（ｉａ＝１０ｍＡのとき）の三種類の値をとる。なお、言うまでもなく、これらの電流値（２．４ｍＡ、１０ｍＡ及び３５ｍＡ）は説明のための便宜値である。
【００５２】
図６は、火災感知器１５の外観図とその回路ブロック図である。火災感知器１５は、煙感知器を例にすると、ケース５０に煙感知窓５１を形成すると共に、火災発報表示用の発光素子５２を取り付けて構成されている。ケース５０の内部には、ノイズ吸収回路／整流回路５３、電源部５４、検出回路５５、アドレス設定部５６、変調信号発生部５７、及び、電流変調部５８が設けられており、これら各部はそれぞれ以下の機能を有する。
【００５３】
ノイズ吸収回路／整流回路５３は、感知器回線（便宜的に１２ａ）を介して火災受信機１１から供給される感知電流（定常時２．４ｍＡ、火災発生時３５ｍＡ／１０ｍＡ）のノイズ成分を取り除き、その電流を整流する回路である。電源部５４は、ノイズ吸収回路／整流回路５３より取り出された感知電流から検出回路５５及び変調信号発生部５７の動作に必要な内部電源電圧を発生する回路である。
【００５４】
検出回路５５は、図示の例においては、煙の濃度を測定して所定値以上の濃度を検知した場合に変調信号発生部５７の動作を起動するための起動信号を発生する回路である。アドレス設定部５６は、少なくとも一つの火災報知システムを構成する各々の火災感知器１５に固有の識別情報（火災感知器アドレス）を設定するための回路である。
【００５５】
変調信号発生部５７は、検出回路５５からの起動信号に応答して所定の変調信号を発生する回路である。変調信号の詳細は後述するが、火災発報の情報と、アドレス設定部５６に設定されたアドレス情報（火災感知器アドレス）とを含む信号である。電流変調部５８は、変調信号発生部５７からの変調信号で感知電流を変調する回路である。この回路の働きにより、定常時（非火災時）に２．４ｍＡであった感知電流が、火災発生時に３５ｍＡと１０ｍＡの二値論理で振幅変調され、その変調波形が火災受信機１１に伝えられる。
【００５６】
図７は、感知電流の変調波形を示す図である。なお、（ａ）は比較のために示す通常（アドレッサブルでない火災感知器）の感知電流波形、（ｂ）は本実施形態の感知電流波形である。まず、通常波形を説明すると、非火災発生時の定常時の電流値は２．４ｍＡであり、火災発生時に３５ｍＡへと増大する。火災受信機はこの感知電流の増大変化を検出して火災発報と判定する。
【００５７】
一方、本実施形態の感知電流波形（ｂ）は、定常時に２．４ｍＡ、火災感知時に３５ｍＡへと増大変化する点で通常と同様であるが、感知電流の３５ｍＡ増大期間Ｋａの長さが所定時間ｔａとなっている点、その３５ｍＡ増大期間Ｋａの経過後に所定の振幅変調期間Ｋｂに移行する点、及び、３５ｍＡ増大期間Ｋａと振幅変調期間Ｋｂとを１単位にして、それを繰り返す点で相違する。
【００５８】
図８は、本実施形態の火災報知システム１０における火災受信機１１の動作概要を示すタイムチャートである。（ａ）は定常時のｉｃ、サンプリングクロックＣＫ及びそのサンプリングクロックＣＫを適用してＳＩ（ｉｃを電圧変換した値）を二値化したディジタル信号波形ＤＳを示している。（ａ）の場合（定常時）、ｉｃ＝２．４ｍＡであるから、先に説明したとおり、ＳＩは０．２４Ｖとなり、二値化のためのしきい値を、たとえば、１．０Ｖを若干上回る値としておけば、ＤＳは０Ｖ（ＣＫのタイミングごとに論理０）を維持する。
【００５９】
一方、（ｂ）は火災発生時のｉｃ、サンプリングクロックＣＫ及びそのサンプリングクロックＣＫを適用してＳＩ（ｉｃを電圧変換した値）を二値化したディジタル信号波形ＤＳを示している。（ｂ）の場合（火災発生時）、ｉｃは３５ｍＡ増大期間Ｋａと振幅変調期間Ｋｂの組み合わせで構成され、振幅変調期間Ｋｂは論理１（３５ｍＡ）と論理０（１０ｍＡ）の組み合わせで構成されるから、上記のしきい値を適用してＳＩ（ｉｃを電圧変換した値）をサンプリングクロックＣＫごとに二値化することにより、図示のディジタル信号波形ＤＳを得ることができる。たとえば、図示のＤＳは、３５ｍＡ増大期間Ｋａで「１１１１１１１１１」（９個の論理１系列）となっており、また、振幅変調期間Ｋｂで「０１０００１０」となっている。ここで、振幅変調期間Ｋｂの信号系列「０１０００１０」は、最初の２ビット（「０１」）がヘッダ部であり、残りの５ビットが火災感知器アドレス（火災感知器１５のアドレス設定部５６で設定されたアドレス）の情報部である。
【００６０】
したがって、本実施形態の火災受信機１１によれば、３５ｍＡ増大期間Ｋａの継続時間（ｔａ）の間に９個の論理１系列が得られた場合に火災の発報を検知することができ、且つ、ヘッダ部に続く５ビットの情報部から発報した感知器の固有アドレスを知ることができる。たとえば、図示の例では、ヘッダ部に続く５ビットの情報部が「０００１０」となっているたため、これを１０進数変換して「２」、すなわち、アドレス番号“２”が付与された火災感知器１５からの発報であることを火災受信機１１で知ることができる。
【００６１】
このように、本実施形態の火災報知システム１０によれば、図９にその火災感知器１５における動作フローチャートを示すように、定常時（非火災発生時）にはＬＣ間電流を２．４ｍＡに維持し（ステップＳ１１）、火災を検出すると（ステップＳ１２）、まず、ＬＣ間電流を３５ｍＡに増大（ステップＳ１３）させて、その３５ｍＡ増大期間Ｋａを所定時間（ｔａ）維持（ステップＳ１４）した後、アドレス設定部５６に設定されているアドレス情報を基に、ＬＣ間電流を振幅変調（論理１＝３５ｍＡ、論理０＝１０ｍＡ）し（ステップＳ１５）、３５ｍＡ増大期間Ｋａの維持と変調動作とを繰り返す（ステップＳ１６）。
【００６２】
また、図１０にその火災受信機１１における動作フローチャートを示すように、ＬＣ間電流が２．４ｍＡ以上（正確には１０ｍＡ＋α以上；αはマージン）であるか否かを判定し（ステップＳ２１）、その判定結果が“ＹＥＳ”の場合で、且つ、そのＹＥＳ状態が所定時間（ｔａ）継続する場合に（ステップＳ２２）、火災の発報を検知すると共に、ＬＣ間電流の変調情報から火災発報感知器のアドレス情報を抽出し（ステップＳ２３）、且つ、その抽出したアドレス情報を含む火災発報信号を外部（少なくとも後述のナースコールシステム１００のナースコール親機１０２）に出力（ステップＳ２４）する。
【００６３】
そして、図３の対応データ４０を参照して、上記の火災発報感知器のアドレスに対応した廊下灯アドレスを抽出し（ステップＳ２５）、そのアドレスを持つ廊下灯１７の点灯態様を所定の警告表示状態（たとえば、点灯または点滅もしくはその他の警告表示）に制御する（ステップＳ２６）。
【００６４】
図１１は、廊下灯１７の制御概念図である。この図において、廊下灯駆動部３６には、廊下灯点灯制御信号線１３を介して複数の廊下灯１７が接続されており、それぞれの廊下灯１７にはあらかじめ固有の識別情報（廊下灯アドレス）が付与されている。たとえば、廊下灯１７を表す円形記号内に記載された符号（“１”、“２”、“３”、・・・・“ｎ”）は各々のアドレスである。廊下灯駆動部３６は、中央制御部３２から任意のアドレス情報を受け取ると、そのアドレスを持つ廊下灯１７の点灯態様を所定の警告表示状態に制御する。たとえば、図示の例においては、廊下灯駆動部３６はアドレス情報“２”を受け取り、そのアドレス“２”を持つ上から２番目の廊下灯１７を点灯させまたは点滅させている。廊下灯駆動部３６と各廊下灯１７との間の信号電送手順は特に限定しない。要は、廊下灯駆動部３６に任意のアドレス情報を与えると、そのアドレスを持つ廊下灯１７の点灯態様が所定の警告表示状態に制御されるものであればよい。
【００６５】
図１２は、本実施の形態における火災報知システム１０の効果を説明する図であり、先に説明した従来技術の図２３に対応する図である。この図において、ハッチングで示す区画は火元となる病室６である。なお、図面の輻輳を避けるために一部しか符号を付与していないが、丸図形は火災感知器１５、半円図形は廊下灯１７である。
【００６６】
今、この病室６に設置されている火災感知器１５が火災等を感知して発報中であるとすると、火災受信機１１は、その火災感知器１５からの信号に基づいて当該火災感知器１５のアドレス（火災感知器アドレス）を特定するとともに、図３の対応データ４０を参照して、その火災感知器１５のアドレス（火災感知器アドレス）に関連付けられた廊下灯アドレスを特定し、当該アドレス（廊下灯アドレス）を持つ廊下灯１７の点灯態様を所定の警告表示状態に制御する。
【００６７】
たとえば、病室６に設置された火災感知器１５のアドレス（火災感知器アドレス）を“１”とし、その病室６の入り口またはその付近に設置された廊下灯１７のアドレス（廊下灯アドレス）を“１”とし、且つ、これら二つのアドレスが正しく対応付けられているものとすると、すなわち、図３の対応データ４０のように両者が適正なレコードに格納されているものとすると、病室６に設置された火災感知器１５が発報したときは、病室６の入り口またはその付近に設置された廊下灯１７が所定の警告表示状態に点灯制御されることになる。
【００６８】
したがって、本実施の形態における火災報知システム１０にあっては、火元となっている部屋（病室６）を速やかに特定することができるから、冒頭で説明した従来の火災報知システムのように火災発生エリア内の部屋（病室）を一つ一つ覗いて火元を確認する必要がなく、初期消火や避難誘導等の行動を迅速にとることができるという優れた効果を得ることができる。
【００６９】
なお、以上の実施の形態では、火災報知システム１０の構成要素の一つである「廊下灯１７」の点灯制御を行うようにしているが、本発明はこの態様に限定されない。要は、アドレッサブル火災感知器の利点を活用して、火元となっている部屋の入り口またはその付近に設置された表示灯またはそれに類するものの点灯制御を行えばよく、たとえば、次に説明するようにナースコールシステム１００の「病室入り口表示ユニット」（後述の表示ユニット１０５）の点灯制御を行ってもよい。
【００７０】
＜ナースコールシステム＞
図１３は、前記火災報知システム１０とナースコールシステム１００との連携概念図である。この図において、ナースコールシステム１００は、患者からの呼び出しを受け、患者との間で会話を交わし、所要の対応行動をとることができる点で、冒頭で説明した従来技術のものと共通するが、本実施の形態のナースコールシステム１００は、それに加えてさらに、病室等の部屋の入り口またはその付近に設置された表示ユニット（前記の「病室入り口表示ユニット」に相当）を備え、且つ、火災報知システム１０から出力される、火災発報感知器の固有識別情報を含む火災発報信号に基づいて、その火災発報感知器に最も近いナースコール子機を特定し、当該ナースコール子機単位に火災発報箇所の位置表示をきめ細かく行うと共に、そのナースコール子機が設置された部屋（病室等）の入り口またはその付近に設置された表示ユニット（図１４の表示ユニット１０４）の表示態様を所定の警告表示状態（点灯または点滅）とし、これらにより、火元となっている病室等を速やかに特定できるようにした点で相違する。
【００７１】
図１４は、ナースコールシステム１００の概念構成図である。ナースコールシステム１００は、ナースステーション１０１の壁面等に設置されたナースコール親機１０２と、病室１０３の患者の枕元などに設置されたナースコール子機１０４と、各々の病室１０３の入り口またはその付近に設置された表示ユニット１０５（発明の要旨に記載の「表示灯」に相当）とにより構成される。さらに、オプションとして、不図示のトイレや浴室に設置された押しボタンを含むこともある。
【００７２】
図１５（ａ）は、ナースコールシステム１００のナースコール親機１０２を示す外観図である。なお、図示のナースコール親機１０２は壁掛け形（ボード形ともいう）であるが、これ以外にも卓上形やパソコン利用のグラフィック表示形などがある。以下、壁掛け形で説明すると、このナースコール親機１０２は、フロントパネル１１０の前面に会話用のハンドセット１１１と、操作表示ユニット１１２とを備える。
【００７３】
図１５（ｂ）は、操作表示ユニット１１２を構成する一つの操作表示セル１１３を示す図である。この図において、操作表示セル１１３は、中央にネームプレート１１４を、また、その左脇に火災表示灯１１５及び呼び出し表示灯１１６を縦に並べ、その右脇に操作ボタン１１７を配置して構成されている。
【００７４】
それぞれの操作表示セル１１３は、ナースコール子機１０４の各々に対応付けられている。たとえば、図１５（ｂ）に示す操作表示セル１１３が、ある病室の所定のベット（便宜的にそのベッドに寝ている患者名を“日本花子”さんとする。）の枕元に備え付けられているナースコール子機１０４に対応付けられていると仮定すると、ネームプレート１１４には患者名“日本花子”が書き込まれており、さらに、その患者（“日本花子”さん）の枕元のナースコール子機１０４が操作されたときには、呼び出し表示灯１１６が点灯または点滅（以下「点灯」で代表する。）し、当該患者からの呼び出しをナースコール親機１０２の設置場所（ナースステーション１０１）に所在する看護師等に通知できるようになっている。そして、通知を受けた看護師等は操作ボタン１１７を押して呼び出し表示灯１１６を消し、ハンドセット１１１を取り上げて当該患者（“日本花子”さん）のナースコール子機１０４との間で会話を交わし、必要であれば当該患者の元に向かうなどの対応行動をとることができるようになっている。
【００７５】
すべての操作表示セル１１３に備え付けられている火災表示灯１１５は、その名前が示すとおり、火災発生時に、その表示態様が所定の警告表示状態（点灯または点滅）に制御されるようになっており、ナースコール親機１０２の設置場所に所在する看護師等に火災の発生を告知する。
【００７６】
図１６は、ナースコール親機１０２の概略的な内部ブロック構成図である。この図において、ナースコール親機１０２は、ハンドセット１１１及び操作表示ユニット１１２を備えると共に、制御部１２０（発明の要旨に記載の「受信手段、特定手段、制御手段」に相当）、操作部１２１、入出力部１２２、出力部１２３及び入力部１２４を備える。操作部１２１は、制御部１２０に対して様々な設定操作を行うためのものであり、入出力部１２２は、病院等の各所に設けられたナースコール子機１０４からの呼び出し信号を制御部１２０に伝え、また、ナースコール親機１０２のハンドセット１１１とナースコール子機１０４との間で交わされる会話信号のインターフェースをとる。出力部１２３は、病院等の各所に設けられた表示ユニット１０５の点灯制御を行うものであり、入力部１２４は、火災報知システム１０から出力される、火災発報感知器の固有識別情報を含む火災発報信号を取り込んで制御部１２０に伝えるものである。
【００７７】
制御部１２０は、あるナースコール子機１０４からの呼び出しがあったとき、呼び出し元のナースコール子機１０４に対応する操作表示セル１１３を特定し、当該操作表示セル１１３の呼び出し表示灯１１６を点灯または点滅させる。さらに、制御部１２０は、当該操作表示セル１１３の操作ボタン１１７のオン動作に応答して、当該操作表示セル１１３の呼び出し表示灯１１６を消灯させる。また、制御部１２０は、火災報知システム１０から火災発報信号が入力したとき、その信号に含まれる火災報知感知器の固有の識別情報（火災感知器アドレス）に基づいて操作表示セル１１３の特定を行い、特定された操作表示セル１１３の火災表示灯１１５を所定の警告表示状態に制御すると共に、その火災発報感知器が設置された部屋（病室等）の入り口またはその付近に位置する表示ユニット１０５の特定を行い、特定されたその表示ユニット１０５の表示態様を所定の警告表示状態に制御する。
【００７８】
図１７は、制御部１２０の概念ブロック構成図である。制御部１２０は、ＣＰＵ１２０ａと、ＲＯＭ１２０ｂと、ＲＡＭ１２０ｃと、ＰＲＯＭ１２０ｄと、入出力部１２０ｅとを備える。ＣＰＵ１２０ａはＲＯＭ１２０ｂにあらかじめ格納されている制御プログラムやＰＲＯＭ１２０ｄに書き換え可能に格納されている各種可変データをＲＡＭ１２０ｃにロードしてその制御プログラムを実行することにより、入出力部１２０ｅを介してやり取りされる各種のデータや信号を処理しつつ、ナースコール親機１０２に必要な様々な機能を実現する。なお、図示の制御部１２０は、設計容易性や改修容易性などの観点から、マイクロプロセッサ（ＣＰＵ１２０ａ）を主たる要素とする、いわゆるマイクロプログラム制御方式のものであるが、これに限定されず、たとえば、ハードロジックで設計されたものであってもよい。
【００７９】
図１８は、ＰＲＯＭ１２０ｄに格納される可変データの一つを示す図である。このデータは、火災表示灯不ドレス、火災感知器アドレス及び廊下灯アドレスの対応付けを行うためのもの（対応データ１３０）である。対応データ１３０は、多数のレコードからなり、各レコードは火災表示灯アドレスフィールド１３０ａ、火災感知器アドレスフィールド１３０ｂ及び廊下灯アドレスフィールド１３０ｃから構成される。
【００８０】
火災表示灯アドレスフィールド１３０ａは、操作表示セル１１３の各々の火災表示灯１１５にあらかじめ割り当てられている固有の識別情報（火災表示灯アドレス）を格納する。また、火災感知器アドレスフィールド１３０ｂは、火災受信機１１に接続されたすべての火災感知器１５の固有の識別情報（火災感知器アドレス）を格納し、また、廊下灯アドレスフィールド１３０ｃは、ナースコール親機１０２に接続されたすべての表示ユニット１０５の固有の識別情報（廊下灯アドレス）を格納する。
【００８１】
これらのアドレス情報の格納は、たとえば、ナースコールシステム１００を設置したときに、その設置業者によって行うことができる。図示の例においては、火災表示灯アドレスとして上から順に“１”、“２”、“３”、“４”、“５”、“６”、・・・・が格納されており、また、火災感知器アドレスとして上から順に“１”、“２”、“３”、“４”、“５”、“６”、・・・・が格納されており、また、廊下灯アドレスとして上から順に“１”、“２”、“３”、・・・・が格納されている。
【００８２】
そして、廊下灯アドレスの“１”は複数（ここでは二つ）の火災感知器アドレス（“１”と“２”）に対応付けられており、廊下灯アドレスの“２”は複数（ここでは二つ）の火災感知器アドレス（“３”と“４”）に対応付けられており、廊下灯アドレスの“３”は複数（ここでは二つ）の火災感知器アドレス（“５”と“６”）に対応付けられている。これらの対応関係は説明のための便宜例であるが、次のことを意味している。
【００８３】
すなわち、ある病室の入り口またはその付近に設置されたアドレス“１”を持つ表示ユニット１０５は、その病室の内部に設置された二つの火災感知器１５（ただし、アドレス“１”と“２”を持つもの）に対応付けられている、また、別のある病室の入り口またはその付近に設置されたアドレス“２”を持つ表示ユニット１０５は、その病室の内部に設置された二つの火災感知器１５（ただし、アドレス“３”と“４”を持つもの）に対応付けられている、さらに、別のある病室の入り口またはその付近に設置されたアドレス“３”を持つ表示ユニット１０５は、その病室の内部に設置された二つの火災感知器１５（ただし、アドレス“５”と“６”を持つもの）に対応付けられている、ことを意味している。
【００８４】
図１９は、制御部１２０のＣＰＵ１２０ａで実行される制御プログラムの概略的なフローチャートである。このフローチャートを開始すると、以下の処理を繰り返し実行する。すなわち、まず、ナースコール子機１０４からの呼び出し（ナースコール）の有無を判定し（ステップＳ１１１）、ナースコールありの場合は所要のナースコール処理を実行する（ステップＳ１１２）。次に、火災発報信号が入力しているか否かを判定し（ステップＳ１１３）、入力している場合は火災発報処理を実行する（ステップＳ１１４）。なお、ナースコール処理の詳細については、本発明と直接の関係がないため説明を省略する。
【００８５】
図２０は、火災発報処理の概略的なフローチャートである。このフローチャートでは、まず、図１８の対応データ１３０を検索して火災発報感知器１１３に対応付けられている火災表示灯１１５と表示ユニット１０５を特定し（ステップＳ１１４ａ）、その火災表示灯１１５と表示ユニット１０５を所定の警告表示状態に制御（ステップＳ１１４ｂ、ステップＳ１１４ｃ）した後、図１９のフローチャートに復帰するという処理を実行する。
【００８６】
たとえば、「病室Ａのベット番号１の真上にある火災感知器１５」が発報した場合は、その火災感知器アドレスを“１”とし、その火災感知器アドレスに対応して対応データ１３０に格納されている火災表示灯アドレスと廊下灯アドレスを共に“１”とすると、この場合は、“１”のアドレスを持つ火災表示灯１１５と表示ユニット１０５が所定の警告表示状態に制御される。そして、この火災表示灯１１５は、「病室Ａのベット番号１」の患者（“日本花子”さん）に対応する特定の操作表示セル１１３に含まれているから、その火災表示灯１１５の警告表示状態を認めた看護師等は、ナースステーション１０１に居ながらにして即座に「病室Ａのベット番号１」で火災が発生したことを直感的に把握することができる。また、その表示ユニット１０５は、「病室Ａの入り口またはその付近」に設置されたものであるから、通報等によって駆けつけた看護師等またはその他の者は、その表示ユニット１０５の警告表示状態を見て、火元となっている部屋（この場合は病室Ａ）を速やかに発見することができる。以上のことから、本実施の形態におけるナースコールシステム１００にあっては、火災等の異常事態において、初期消火や避難誘導及び消防機関への通報等、所要の対処行動を遅滞なく速やかに講じることができるという特有の効果が得られる。
【００８７】
図２１は、火災発生時のナースコール親機１０２の表示状態例を示す図である。この図において、（ａ）は、病院等のフロアー配置図であり、２００〜２０４は病室、２０５はトイレ、２０６は浴室、２０７は廊下、２０８〜２２７はベッド、２２８〜２５３は火災感知器（図１の火災感知器１５に相当）、２５４〜２６１は表示ユニット（図１４の表示ユニット１０５に相当）である。また、（ｂ）は、ナースコール親機１０２のいくつかの操作表示セル１１３ａ〜１１３ｆを示す図であり、たとえば、左上の操作表示セル１１３ａが、病室２００のベッド２０８（ハッチングで示すベッド）に対応しているものとする。また、（ｃ）は病室２００の入り口またはその付近に設置された表示ユニット２５４の外観図である。なお、図示の表示ユニット２５４は、火災警報用の表示ランプしか有していないが、これに限定されない。たとえば、ナースコール子機１０４からの呼び出し表示ランプなど、ナースコールシステムとして一般的に必要と思われるものを有していてもよい。
【００８８】
今、左上の操作表示セル１１３ａの火災表示灯１１５と、ベッド２０８の真上の火災感知器２２８と、病室２００の入り口またはその付近に設置された表示ユニット２５４とがあらかじめ正しく対応付けられているものとすると、病室２００のベッド２０８で火炎２６２が上がった場合、火炎２６２に最も近い火災感知器２２８が発報する。
【００８９】
先に説明したとおり、本実施の形態の火災報知システム１０は、火災発報感知器（この場合、火災感知器２２８）のアドレスを特定し、且つ、そのアドレスをナースコール親機１０２に通知する。
【００９０】
そして、本実施の形態のナースコール親機１０２は、火災報知システム１０から通知された火災感知器アドレスに対応付けられている火災表示灯１１５と表示ユニット１０５（この場合は、表示ユニット２５４）を特定し、その火災表示灯１１５と表示ユニット２５４を所定の警告状態表示（一般に点灯または点滅であるが、それ以外の表示態様であっても構わない）に制御する。
【００９１】
したがって、上記例示の場合は、火炎２６２が上がったベッド２０８に対応する操作表示セル１１３ａの火災表示灯１１５が所定の警告状態表示に制御されるとともに、そのベッド２０８が置かれた病室２００の表示ユニット２５４が所定の警告状態表示に制御されるから、ナースステーション１０１にいる看護師等及びその病室２００の前にいる看護師等は、それらの警告状態表示を一瞥するだけで、どの病室が火元であるかを誤りなく即座に判断することができ、火災等における危機管理上有益なナースコールシステム１００を実現することができる。
【００９２】
【発明の効果】
本発明によれば、火災発生時に、任意のアドレッサブル火災感知器から前記感知情報と識別情報を受信したとき、その識別情報に基づいて当該アドレッサブル火災感知器が設置された部屋を特定し、その部屋の入り口またはその付近に取り付けられた表示灯の表示態様を所定の警告表示状態に制御することができ、その警告表示から速やかに火元となる部屋を見つけて、初期消火や避難誘導等を行うことができる。
【００９３】
また、好ましい態様によれば、前記ナースコール親機は、看護師又はその他の医療従事者が携帯する医療用コードレスホン又は携帯電話機もしくは無線通信端末に前記火災発報感知器の場所を示す情報を表示させる手段をさらに備えることとされているので、医療用コードレスホン又は携帯電話機もしくは無線通信端末を携帯する看護師又はその他の医療従事者が、仮に、ナースコール親機の設置場所（一般に看護師詰め所等）から離れた場所にいたとしても、いちいち看護師詰め所等に戻ることなく、直ちに火災発生場所を知ることができ、初期消火や避難誘導及び消防署への通報等、所要の対処行動を遅滞なく行うことができる。
【図面の簡単な説明】
【図１】火災報知システム１０の概念的なシステム構成図である。
【図２】火災受信機１１及び火災感知器１５の電気的構成図である。
【図３】火災感知器アドレスと廊下灯アドレスの対応データの概念図である。
【図４】中央制御部３２の一部及び第１電流検出部３５＿１〜第ｎ電流検出部３５＿ｎの回路構成を示す図である。
【図５】タイムシェアリング動作の概念図である。
【図６】火災感知器１５の外観図とその回路ブロック図である。
【図７】感知電流の変調波形を示す図である。
【図８】本実施形態の火災報知システムにおける火災受信機１１の動作概要を示すタイムチャートである。
【図９】火災感知器１５における動作フローチャートを示す図である。
【図１０】火災感知器１５における動作フローチャートを示す図である。
【図１１】廊下灯１７の制御概念図である。
【図１２】本実施の形態における火災報知システム１０の効果を説明する図である。
【図１３】本発明に係るナースコールシステムと火災報知システムとの連携概念図である。
【図１４】ナースコールシステム１００の概念構成図である。
【図１５】ナースコール親機１０２の外観図及び操作表示ユニット１１２を構成する一つの操作表示セル１１３を示す図である。
【図１６】ナースコール親機１０２の概略的な内部ブロック構成図である。
【図１７】制御部１２０の概念ブロック構成図である。
【図１８】ＰＲＯＭ１２０ｄに格納された可変データの一つ（対応データ１３０）を示す図である。
【図１９】制御部１２０のＣＰＵ１２０ａで実行される制御プログラムの概略的なフローチャートである。
【図２０】火災発報処理の概略的なフローチャートである。
【図２１】火災発生時のナースコール親機１０２の表示状態例を示す図である。
【図２２】Ｐ型火災報知システムの構成図である。
【図２３】Ｐ型火災報知システムの設置例を示す図である。
【符号の説明】
６  病室（部屋）
１０  火災報知システム
１１  火災受信機
１５  火災感知器（アドレッサブル火災感知器）
１７  廊下灯（表示灯）
３２  中央制御部（制御手段）
３６  廊下灯駆動部（制御手段）
１００  ナースコールシステム
１０２  ナースコール親機
１０４  ナースコール子機
１０５  表示ユニット（表示灯）
１２０  制御部（受信手段、特定手段、制御手段）
【図１】
2004213166.tif 000003
【図２】
2004213166.tif 000004
【図３】
2004213166.tif 000005
【図４】
2004213166.tif 000006
【図５】
2004213166.tif 000007
【図６】
2004213166.tif 000008
【図７】
2004213166.tif 000009
【図８】
2004213166.tif 000010
【図９】
2004213166.tif 000011
【図１０】
2004213166.tif 000012
【図１１】
2004213166.tif 000013
【図１２】
2004213166.tif 000014
【図１３】
2004213166.tif 000015
【図１４】
2004213166.tif 000016
【図１５】
2004213166.tif 000017
【図１６】
2004213166.tif 000018
【図１７】
2004213166.tif 000019
【図１８】
2004213166.tif 000020
【図１９】
2004213166.tif 000021
【図２０】
2004213166.tif 000022
【図２１】
2004213166.tif 000023
【図２２】
2004213166.tif 000024
【図２３】
2004213166.tif 000025